(57)【要約】【課題】機械的強度が大きく、気密性に優れた天井パネルの接合構造を提供すること。【解決手段】端部同士を接合させて壁パネル１２ａ等の上端部に組み付けられることにより浴室１０の天井部２０を構成する一対の天井パネル２０ａ，２０ｂの接合部の近傍に開口部２１を形成した。この開口部２１は、天井パネル２０ｂの接合部側に設け、開口部２１を囲う枠状縁部２７の縁部２７ａを天井パネル２０ｂの一端部２５ａから突出させて設けた。そして、天井パネル２０ａにおける接合部側の端部に縁部２７ａと重なり合って組み付けられる凹部２３ｂを設けた。また、天井パネル２０ａ，２０ｂをブロー成形によって成形された中空成形体で構成した。【選択図】  図３
2004244858.tif 000002
【特許請求の範囲】
【請求項１】
対向する端部同士を接合させて壁パネルの上端部に組み付けられることにより天井部を構成し、前記対向する端部の接合部の近傍に開口部が形成された一対の天井パネルを備えた天井パネルの接合構造であって、前記一対の天井パネルの一方の天井パネルにおける前記接合部側に前記開口部を設けて、前記開口部の前記接合部側部分を囲う枠状縁部を前記一方の天井パネルの接合部側の端部から突出させるとともに、前記一対の天井パネルの他方の天井パネルにおける前記接合部側の端部に前記枠状縁部と組み付けられる組付け部を設けたことを特徴とする天井パネルの接合構造。
【請求項２】
前記枠状縁部を前記組付け部の上面に重ねた状態で、前記一対の天井パネルが接合される請求項１に記載の天井パネルの接合構造。
【請求項３】
前記組付け部が前記枠状縁部と係合可能な凹部で構成されている請求項１または２に記載の天井パネルの接合構造。
【請求項４】
前記一対の天井パネルが、浴室の天井部を構成するものである請求項１ないし３のうちのいずれか一つに記載の天井パネルの接合構造。
【請求項５】
前記天井パネルがブロー成形により成形された中空成形体で構成されている請求項１ないし４のうちのいずれか一つに記載の天井パネルの接合構造。
【発明の詳細な説明】
【０００１】
【発明の属する技術分野】
本発明は、対向する端部同士を接合させて壁パネルの上端部に組み付けられることにより天井部を構成し、接合部の近傍に開口部を有する一対の天井パネルを備えた天井パネルの接合構造に関する。
【０００２】
【従来の技術】
従来から、例えば、ユニット型の浴室は、四角形の防水床パンの各縁部にそれぞれ壁パネルを組み付けるとともに、壁パネルの上端縁部に天井パネルを組み付けて箱状に形成されている。このような浴室の中には、天井パネルの上面に、コントローラ、電源装置、換気扇等の各種の機器を設置するための設置部が設けられているとともに、天井パネルにおける設置部の近傍部分に点検用の開口部が設けられているものがある（例えば、特許文献１）。
【０００３】
この場合、天井部を構成する天井パネルは２個一組のパネルで構成されており、２個の天井パネルの端部同士を接合することによって天井部が構成されている。また、開口部は、点検時の作業性やデザインの面から天井部の中央部分に設けることが好ましく、このため、一方の天井パネルの端部中央に切欠き部を設けて、切欠き部の開放側部分に他方の天井パネルの端部を位置させることにより天井部の略中央に開口部を形成している。
【０００４】
【特許文献１】
特開２００２−２１３４９号公報
【０００５】
【発明が解決しようとする課題】
しかしながら、前述した従来の天井パネルの接合構造では、接合される一対の天井パネルのうちの切欠き部が設けられた天井パネルの強度が小さくなるという問題がある。この天井パネルは、特に、切欠き部を挟んだ両側部分を互いに異なる方向に捻るような力に対しての強度が小さくなる。また、一対の天井パネルの接合面を密着させることが難しく接合部の気密性が悪いという問題もある。
【０００６】
【発明の概要】
本発明は、上記問題に対処するためになされたもので、その目的は、機械的強度が大きく、気密性に優れた天井パネルの接合構造を提供することである。
【０００７】
上記の目的を達成するため、本発明にかかる天井パネルの接合構造の構成上の特徴は、対向する端部同士を接合させて壁パネルの上端部に組み付けられることにより天井部を構成し、対向する端部の接合部の近傍に開口部が形成された一対の天井パネルを備えた天井パネルの接合構造であって、一対の天井パネルの一方の天井パネルにおける接合部側に開口部を設けて、開口部の接合部側部分を囲う枠状縁部を一方の天井パネルの接合部側の端部から突出させるとともに、一対の天井パネルの他方の天井パネルにおける接合部側の端部に枠状縁部と組み付けられる組付け部を設けたことにある。
【０００８】
前記のように構成した本発明に係る天井パネルの接合構造によれば、開口部が設けられる一方の天井パネルの接合部側の端部には、枠状縁部が突出して、開口部の接合部側部分を囲っている。したがって、開口部が設けられた一方の天井パネルの接合部側の端部には開放された部分がなくなる。また、枠状縁部は開口部の縁部の一部を構成するとともに天井パネルの補強部としても機能する。これによって、開口部が設けられたことによる一方の天井パネルの強度低下が抑制される。
【０００９】
また、本発明にかかる天井パネルの接合構造の他の構成上の特徴は、枠状縁部を組付け部の上面に重ねた状態で、一対の天井パネルが接合されることにある。
これによると、一対の天井パネルの接合部における開口縁部に重なった部分ができるため、接合部の接合面を上下方向でなく水平方向にすることができる。これによって、一対の天井パネルにおける接合部の気密性を高めることができる。
【００１０】
また、本発明にかかる天井パネルの接合構造のさらに他の構成上の特徴は、組付け部が枠状縁部と係合可能な凹部で構成されていることにある。この場合の凹部としては、他方の天井パネルの上面に形成した凹部でもよいし、他方の天井パネルの端面に形成した溝状の凹部でもよい。これによると、さらに、接合部の気密性が高まるとともに、一対の天井パネルの接合がより確実になる。
【００１１】
また、本発明にかかる天井パネルの接合構造のさらに他の構成上の特徴は、一対の天井パネルが、浴室の天井部を構成するものであることにある。これによると、浴室に適した気密性を有する天井部を構成できる。
【００１２】
また、本発明にかかる天井パネルの接合構造のさらに他の構成上の特徴は、天井パネルがブロー成形（中空成形）により成形された中空成形体で構成されていることにある。これによると、天井パネルの厚みが大きくなっても内部に空間部が形成されるため、必要以上の成形用材料を使用することがなくなる。これによって、材料の節約と天井パネルの製造の低コスト化が図れる。また、ブロー成形によるため天井パネルを複雑な形状に成形することができる。さらに、天井部の軽量化が図れ組付け作業が容易になる。
【００１３】
【発明の実施の形態】
以下、本発明の一実施形態を図面を用いて説明する。図１は同実施形態に係る天井パネルの接合構造を備えた浴室１０を示している。この浴室１０は、パネル等によって四角箱状に形成されており、床パン１１、壁パネル１２ａ，１２ｂ，１２ｃおよび天井部２０を備えている。そして、壁パネル１２ａ，１２ｃ間における図示の手前側部分にも、壁パネル（図示せず）が設けられており、この壁パネルに開閉式のドアを備えた出入り口が設けられている。また、壁パネル１２ａの中央部には、窓１３が設けられている。
【００１４】
床パン１１における壁パネル１２ａ側部分には、浴槽１４が前後方向（壁パネル１２ａの表面に沿った方向）に長くなるように配置されている。そして、浴槽１４の周縁部上面における後方右側部分に、浴槽１４に湯や水を供給するための水栓１４ａが設けられている。また、壁パネル１２ｂの右側部分には、浴槽１４の上端部と略等しい高さに設定されたカウンター１５が設けられ、壁パネル１２ｂにおけるカウンター１５の上方部分に洗面用具や入浴用具を収容するための収容棚１６と鏡１７とが横に並んで取り付けられている。
【００１５】
そして、収容棚１６と鏡１７の上方には、下方に位置するカウンター１５の近傍を照明するための照明装置１８が設けられている。これらの収容棚１６、鏡１７および照明装置１８は一体的に構成されてパネル状に形成されている。また、カウンター１５と鏡１７との間にはカウンター１５で使用する湯や水を供給するための水栓１５ａが設けられている。そして、前記パネルにおける鏡１７の左側部分には、シャワー（図示せず）が保持部材を介して着脱自在に取り付けられている。このシャワーの根元部分は水栓１５ａに通じており、切替弁を切り換えることにより水栓１５ａとシャワーとを選択して使用できるようになっている。
【００１６】
天井部２０は、前方から後方に向って中央部が高くなるように湾曲した略ドーム形に形成されており、２個の天井パネル２０ａ，２０ｂを接合して構成されている。天井パネル２０ａ，２０ｂはそれぞれブロー成形によって成形された中空成形体で構成されており、天井パネル２０ｂにおける天井パネル２０ａ側の端部中央には点検用の開口部２１が設けられ、その開口部２１に点検蓋２２が着脱可能に取り付けられている。
【００１７】
この点検蓋２２を上方に押し上げることにより、図２に示したように、開口部２１を開くことができる。また、点検蓋２２を押し上げて開口部２１を開いた状態から、点検蓋２２を下げて開口部２１に位置決めすることにより、点検蓋２２が開口部２１の周縁部に係合して開口部２１を閉塞することができる。
【００１８】
天井パネル２０ａは、曲面部２３と、曲面部２３の一端部に垂直方向に沿って設けられた壁面部２４とを備えており、曲面部２３は天井部２０の一部を構成し、壁面部２４は、壁パネル１２ａに接合されて壁パネル１２ａとともに壁面を構成する。そして、曲面部２３の他端部は、図３に示すように、厚肉に形成されその厚肉部２３ａの上面における中央他端側部分に本発明の組付け部としての凹部２３ｂが形成されている。
【００１９】
天井パネル２０ｂは、曲面部２５と、曲面部２５の他端部に垂直方向に沿って設けられた壁面部２６とを備えており、曲面部２５は天井部２０の一部を構成し、壁面部２６は、壁パネル１２ｃに接合されて壁パネル１２ｃとともに壁面を構成する。そして、曲面部２５の一端側中央部分に開口部２１が形成され、その周囲に枠状縁部２７が形成されている。枠状縁部２７は、曲面部２５の上面に上方に向かって突出して形成されその一端側の縁部２７ａは、曲面部２５の一端部２５ａから突出して天井パネル２０ａ側に延びている。
【００２０】
また、枠状縁部２７の内周面下端部における縁部２７ａを除く部分には、内周側に向って突出した係止用突部２８が形成されている。この係止用突部２８は点検蓋２２を下方に落下させないために設けられている。また、枠状縁部２７の上面は平面状に形成されている。
【００２１】
縁部２７ａの長さは、凹部２３ｂの長手方向の長さよりもやや短く設定されており、縁部２７ａは凹部２３ｂ内に組付けることができる。また、縁部２７ａの下端部は、曲面部２５の上面と下面との略中間に位置するように設定され、縁部２７ａを凹部２３ｂ内に組み付けたときに、図４に示すように、曲面部２３，２５の両端面が上下を一致させた状態で突き合わされるように設定されている。その際、凹部２３ｂの底面部が、開口部２１側にやや突出して係止用突部２８と連なる。これによって、凹部２３ｂの底面部の突出した部分と係止用突部２８とからなる枠状の突部が形成される。
【００２２】
点検蓋２２は、四角板状に形成されており、その上面部２２ａは開口部２１の上側部分に挿通できるが係止用突部２８等からなる枠状の突部には係止される大きさに設定されている。点検蓋２２の下面部２２ｂは、係止用突部２８等からなる枠状の突部内を挿通して天井パネル２０ｂの天井面の一部を構成する。また、点検蓋２２の上面は平面状に形成され、点検蓋２２の下面は、曲面部２５の下面の曲面に沿った曲面に形成されている。
【００２３】
また、天井パネル２０ａまたは天井パネル２０ｂの上面には、例えば、浴室１０内の各器具に電気を供給するための電源装置等の機器を設置することができる設置部（図示せず）が設けられている。また、天井パネル２０ａ，２０ｂは、ブロー成形によって成形されており、それぞれの肉厚部分の内部には空間部が形成されている。
【００２４】
この構成において、天井パネル２０ａと天井パネル２０ｂとを接合して構成される天井部２０を浴室１０に取り付ける場合には、まず、床パン１１の各縁部に壁パネル１２ａ等を組み付けておく。そして、縁部２７ａを凹部２３ｂの上面に載せた状態で天井パネル２０ａ，２０ｂの端面同士を突き合わせて天井パネル２０ａ，２０ｂを接合する。つぎに、開口部２１内に点検蓋２２を設置して天井部２０を形成する。そして、予め組み付けられた壁パネル１２ａ等の上端部に天井部２０を取り付ける。この場合、壁パネル１２ａ等と天井部２０との固定は、ねじ等の固着部材を用いて行い、接合部分には、ゴム材等からなるシール部材を取り付けておく。これによって、気密性に優れた浴室１０が組み立てられる。
【００２５】
このように、本実施形態にかかる天井パネルの接合構造によれば、開口部２１を形成する枠状縁部２７の一方の縁部２７ａが天井パネル２０ｂの一端部２５ａから突出して設けられている。したがって、天井パネル２０ｂの端部には開放部分がなくなり、縁部２７ａは天井パネル２０ｂの一端部２５ａを補強する。これによって、開口部２１が設けられていても天井パネル２０ｂの強度の低下を抑えることができる。また、天井パネル２０ａ側に突出した縁部２７ａは、凹部２３ｂと係合して凹部２３ｂの底部と重なり合って接合される。このため、接合部の気密性が高まるとともに、天井パネル２０ａ，２０ｂの接合を確実にすることができる。
【００２６】
また、天井パネル２０ａ，２０ｂがブロー成形によって成形された中空成形体で構成されているため内部に空間部が形成され、必要以上の成形用材料を使用することがなくなる。これによって、材料の節約と天井パネル２０ａ，２０ｂの製造の低コスト化が図れる。また、ブロー成形によるため天井パネル２０ａ，２０ｂを複雑な形状に成形することができる。さらに、天井パネル２０ａ，２０ｂを軽量化でき、組付け作業が容易になる。
【００２７】
また、本発明による天井パネルの接合構造は、前述した実施形態以外についても技術的範囲内で適宜変更実施が可能である。例えば、縁部２７ａや凹部２３ｂの形状は、種々の形状に変更することができ、縁部２７ａを水平に延びる板状の突起で構成し、凹部２３ｂをその板状の突起が係合できる溝部で構成することができる。また、縁部２７ａの下面に複数の棒状の小突起を設け、凹部２３ｂを小突起と係合可能な複数の小孔で構成することもできる。さらに、対向する端部の接合部の近傍に開口部が形成された一対の天井パネルを備えている限り、天井部２０は３つ以上の天井パネルで構成されていてもよい。また、天井部２０は、浴室１０に限らず、トイレやその他、点検用の開口部が設けられる天井部であればどのような室の天井部でもよい。
【図面の簡単な説明】
【図１】本発明の一実施形態による天井パネルの接合構造を備えた浴室の内部を示す斜視図である。
【図２】天井パネルに設けられた開口部を開けた状態を示す斜視図である。
【図３】天井パネルを分解した状態を示す分解斜視図である。
【図４】天井パネルを接合した状態を示す斜視図である。
【符号の説明】
１０…浴室、１２ａ，１２ｂ，１２ｃ…壁パネル、２０…天井部、２０ａ，２０ｂ…天井パネル、２１…開口部、２２…点検蓋、２３ｂ…凹部、２５ａ…一端部、２７…枠状縁部、２７ａ…縁部。
【図１】
2004244858.tif 000003
【図２】
2004244858.tif 000004
【図３】
2004244858.tif 000005
【図４】
2004244858.tif 000006